(57)【要約】【課題】騒音を抑制できる電気掃除機の床ブラシを提供する。【解決手段】ブラシ台３５の両端部にブラシ台３５の中心軸に沿ってシャフト挿入穴３８を設ける。ブラシ台３５の両端部を保持する受体４３の中心軸に沿ってシャフト５２を突出させる。シャフト５２をシャフト挿入穴３８に圧入する。ブラシ台３５の中心軸と受体４３の中心軸とを容易に一致させることができ、回転の際にぶれを生じず騒音を抑制できる。【選択図】        図１
2004187883.tif 000002
【特許請求の範囲】
【請求項１】
外周面に清掃部材を備えた略円柱状の取付部材と、
この取付部材の端部に、この取付部材の中心軸に沿って形成された挿入穴と、前記取付部材の端部に取り付けられ、この取付部材の端部を保持する略円筒状の保持部材と、
この保持部材の中心軸に沿って突出して設けられ、前記保持部材を前記取付部材の端部に取り付けた際に前記挿入穴に圧入される軸部と
を具備したことを特徴とした回転清掃体。
【請求項２】
保持部材の軸部が突出した端部にこの保持部材の軸方向に沿って突出して設けられ、外郭と前記保持部材の中心軸との平面視での距離が異なる部分を有する形状の凸部と、
取付部材の端部に設けられ、この取付部材の端部に前記保持部材を取り付けた際に前記凸部が嵌合する凹部と
を具備したことを特徴とした請求項１記載の回転清掃体。
【請求項３】
外周面に清掃部材を備えた略円柱状の取付部材と、
この取付部材の端部に取り付けられ、この取付部材の端部を保持する略円筒状の保持部材と、
この保持部材の一端部にこの保持部材の軸方向に沿って突出して設けられ、外郭とこの保持部材の中心軸からの平面視での距離が異なる部分を有する形状の凸部と、
前記取付部材の端部に設けられ、この取付部材の端部に前記保持部材を取り付けた際に前記凸部と嵌合する凹部と
を具備したことを特徴とした回転清掃体。
【請求項４】
被掃除面に対向して設けられた吸込口を備えたケース体と、被掃除面に対向して前記ケース体に回転自在に軸支された請求項１ないし３いずれか一記載の回転清掃体と
を具備したことを特徴とした吸込口体。
【請求項５】
電動送風機を収容した掃除機本体と、
前記電動送風機の吸込側に連通接続される請求項４記載の吸込口体と
を具備したことを特徴とした電気掃除機。
【発明の詳細な説明】
【０００１】
【発明の属する技術分野】
本発明は、外周面に清掃部材を備えた略円柱状の取付部材を有する回転清掃体、これを有する吸込口体およびこれを備えた電気掃除機に関する。
【０００２】
【従来の技術】
従来、この種の回転清掃体は、ねじり押し出し成形されて軸方向に沿って外周面に螺旋状の複数の溝部が設けられた細長円柱状の取付部材を備えている。これら溝部には、可撓性を有する清掃部材としてのブレードが取り付けられている。さらに、取付部材の軸方向の両端部には、ブレードを抜け止め保持する保持部材としての略円筒状のキャップが取り付けられている。このキャップは、軸方向に沿って直線状の複数の凸部を備えている。これら凸部は、取付部材の溝部に嵌合している（例えば、特許文献１参照。）。
【０００３】
また、他の回転清掃体は、押し出し成形された細長円柱状の取付部材を備えている。この取付部材の外周面には、この取付部材の軸方向に沿って直線状の溝部が複数設けられている。そして、取付部材は、周方向にねじられることで各溝部が螺旋状となっている。この螺旋状となった各溝部には、清掃部材としてのブレード、あるいはブラシなどが取り付けられている（例えば、特許文献２参照。）。
【０００４】
【特許文献１】
特開平６−２８４９９３号公報（第３−４頁、図１および図２）
【０００５】
【特許文献２】
特開平７−１７８０１６号公報（第２−３頁、図１および図２）
【０００６】
【発明が解決しようとする課題】
しかしながら、上述の特許文献１に記載された回転清掃体では、螺旋状にねじられた溝部に、直線状のキャップの凸部を取り付けることにより、キャップの凸部が溝部に斜めに入って完全に嵌合させることが容易でなく、キャップの中心軸では回転清掃体全体の中心軸を取りにくい。
【０００７】
また、上述の特許文献２に記載された回転清掃体では、取付部材を、押し出し成形した後にねじるため、取付部材自体の中心軸を取りにくい。
【０００８】
この結果、回転時にぶれて騒音が生じるおそれがあるという問題点を有している。
【０００９】
本発明はこのような点に鑑みなされたもので、騒音を抑制できる回転清掃体、これを有する吸込口体およびこれを備えた電気掃除機を提供することを目的とする。
【００１０】
【課題を解決するための手段】
本発明は、取付部材の端部を保持する略円筒状の保持部材の中心軸に沿って突出して設けた軸部を、略円柱状の取付部材の端部に取付部材の中心軸に沿って形成した挿入穴に、保持部材を取付部材の端部に取り付けた際に圧入するものである。そして、取付部材を例えばねじり押し出し成形しても保持部材の中心軸と取付部材の中心軸とを容易に一致させることができるので、回転の際にぶれなどを生じず騒音を抑制できる。
【００１１】
また、本発明は、取付部材の端部を保持する略円筒状の保持部材の一端部にこの保持部材の軸方向に沿って突出して設けられ外郭と保持部材の中心軸との平面視での距離が異なる部分を有する形状の凸部を、略円柱状の取付部材の端部に形成した凹部に、取付部材の端部に保持部材を取り付けた際に嵌合させるものである。そして、取付部材の凹部に保持部材の凸部を確実に嵌合できるため、取付部材と保持部材との中心軸がずれることがなく、回転の際にぶれなどを生じず騒音を抑制できる。
【００１２】
【発明の実施の形態】
以下、本発明の第１の実施の形態における電気掃除機の構成を図１ないし図６を参照して説明する。
【００１３】
図６において、１は掃除機本体で、この掃除機本体１は、内部に収容された電動送風機２の駆動にて生じる吸気風とともに吸い込んだ塵埃を、着脱可能な図示しない集塵パックにて集塵する電気掃除機である。
【００１４】
また、この掃除機本体１の前側略中央には、電動送風機２の吸込側に連通され掃除機本体１の外部から空気を吸引する本体吸込口７が開口されている。この本体吸込口７には、湾曲可能な細長略円筒状のホース体１１が連通接続されている。このホース体１１の先端には、電動送風機２の動作モードなどが選択可能な手許操作部１２が設けられている。この手許操作部１２には、掃除機本体１内の電動送風機２などの駆動状態を所定の状態に設定する複数の設定ボタン１３が設けられているとともに、掃除する際に作業者が把持する把持部１４が基端側に向けて突設されている。
【００１５】
さらに、この手許操作部１２の先端には、伸縮可能な細長略円筒状の延長管１５が着脱可能に連通接続されている。またさらに、この延長管１５の先端には、例えば室内の床面の絨毯などの上に設置させて、この絨毯上の塵埃を吸い込む吸込口体としての床ブラシ１６が着脱可能に連通接続されている。この結果、この床ブラシ１６は、延長管１５、ホース体１１および本体吸込口７を介して電動送風機２の吸込側に連通接続される。
【００１６】
そして、この床ブラシ１６は、図１ないし図３および図６に示すように、前後方向である走行方向に対して横長で、後部略中央が後方に向けて突出する凸字状のケース体２１を備えている。このケース体２１における床面と対向する下面には、細長矩形状の吸込口２５が開口形成されている。この吸込口２５は、ケース体２１の走行方向の前側に偏位した位置に設けられており、このケース体２１の走行方向に対する幅方向に沿った長手方向を有した横長矩形状に形成されている。
【００１７】
さらに、このケース体２１の吸込口２５の内部には、細長略円筒状の回転清掃体としての回転ブラシ３３が走行方向に向けて回転自在に軸支されて配設されている。この回転ブラシ３３は、図１に示すように、外周面に軸方向に沿って断面略凹字状の係合凹部３４が複数、例えば４つ設けられた細長略円筒状の取付部材としてのブラシ台３５を備えている。なお、このブラシ台３５の各係合凹部３４は、周方向に間隔をおいて等間隔な状態で直線状に設けられている。
【００１８】
そして、このブラシ台３５の各係合凹部３４は、断面形状が先端幅狭の凹状に形成されている。さらに、ブラシ台３５の両端部には、このブラシ台３５の中心軸に沿って挿入穴としてのシャフト挿入穴３８がそれぞれ設けられている。
【００１９】
一方、ブラシ台３５の各係合凹部３４には、清掃部材としてのブラシ部材４１および清掃部材としての掻取部材であるブレード４２のそれぞれの基端側が周方向に沿って交互に係止されて取り付けられている。また、これらブラシ部材４１およびブレード４２のそれぞれは、ブラシ台３５の外周面にこのブラシ台３５の軸方向に沿ってこのブラシ台３５の径方向に突出して取り付けられている。
【００２０】
また、ブラシ台３５の両端部には、図２および図３に示すように、保持部材としての受板である略円筒状の一対の受体４３がそれぞれ同軸状に取り付けられている。これら受体４３は、ブラシ台３５よりも硬質な材料により成形されている。
【００２１】
さらに、各受体４３の軸方向の一端部であるブラシ台３５に対向する側部には、この受体４３の軸方向に沿って突出した円筒状の嵌合部４４が受体４３と同軸状に一体に設けられている。この嵌合部４４は、ブラシ台３５の外径寸法と略等しい内径寸法を有しており、この嵌合部４４の内周面には、ブラシ台３５の外周面が当接する。このため、ブラシ台３５の外周面が嵌合部４４の内周面に保持され、ブラシ台３５が各受体４３に対して回り止めされている。
【００２２】
またさらに、嵌合部４４の基端の外周面には、この嵌合部４４の周方向に沿って嵌合部４４の径方向に突出した鍔部４５が一体に形成されている。
【００２３】
そして、受体４３の軸方向の他端部であるブラシ台３５と反対側には、この受体４３の軸方向に沿って嵌合部４４と反対方向に突出した円筒状の突出部４６が受体４３と同軸状に一体に設けられている。この突出部４６は、嵌合部４４の外径寸法よりも大きい外径寸法を有しており、この嵌合部４４の外径寸法と略等しい内径寸法を有している。また、突出部４６は、嵌合部４４の突出寸法よりも小さい突出寸法を有している。
【００２４】
さらに、突出部４６の基端の外周面には、この突出部４６の周方向に沿って突出部４６の径方向に突出した鍔部４７が一体に形成されている。この鍔部４７は、鍔部４５と略等しい突出寸法を有している。
【００２５】
またさらに、受体４３の中心部には、図４および図５に示すように、受体４３の中心軸に沿って直線状の挿通孔５１が設けられている。この挿通孔５１には、例えば鋼鉄、あるいはステンレス鋼（ＳＵＳ）などの金属にて形成された軸部としてのシャフト５２が取り付けられている。このシャフト５２は、いわゆるダブルモールドにより受体４３と一体に形成されている。そして、このシャフト５２は、一端部であるブラシ台３５側の端部が、嵌合部４４の開口端面を含む平面と略面一となっており、他端部であるブラシ台３５と反対側の端部が、突出部４６から受体４３の外方へと、例えばこの突出部４６の突出寸法と略等しい寸法分突出している。
【００２６】
また、シャフト５２のブラシ台３５側は、ブラシ台３５のシャフト挿入穴３８に圧入されている。この結果、各受体４３は、中心軸をブラシ台３５の中心軸と合わせた状態、すなわちブラシ台３５と同軸状にブラシ台３５の両端部に取り付けられる。
【００２７】
さらに、突出部４６内である挿通孔５１の開口縁の周囲には、平面視円形状の内周突出部５３が全周に亘って設けられている。この内周突出部５３は、受体４３の軸方向に沿って突出しており、突出部４６の突出寸法よりも小さい突出寸法を有している。そして、内周突出部５３の内周面全体は、シャフト５２の外周面の一部に当接している。
【００２８】
また、鍔部４７の外周面側には、円筒状の筒部５５が同心状に取り付けられている。この筒部５５は、受体４３の突出部４６内に嵌合され、かつシャフト５２に回転可能に嵌合されている。また、筒部５５の中心には、各受体４３のシャフト５２が挿通されている。
【００２９】
さらに、床ブラシ１６のケース体２１の吸込口２５の走行方向に対する両側縁のそれぞれには、一対の軸支凹部６１が区画形成されている。これら軸支凹部６１のそれぞれには、筒部５５が嵌合されている。この結果、各受体４３は、一対の軸支凹部６１間にシャフト５２を回転自在に支持させる。
【００３０】
またさらに、床ブラシ１６のケース体２１の内部における吸込口２５の後側には、モータ６４が収容されている。このモータ６４の先端部に突出した回転軸６５には、同心状にプーリ６６が取り付けられている。
【００３１】
そして、回転ブラシ３３の一方の受体４３とモータ６４の回転軸６５に取り付けられたプーリ６６との間には、無端状のベルト体６７が橋渡すように巻回されている。この結果、モータ６４を駆動させることにより、このモータ６４の回転軸６５の回転によりプーリ６６が回転し、このプーリ６６の回転に伴ってベルト体６７が回転して回転ブラシ３３の一方の受体４３が回転するので、この回転ブラシ３３が回転駆動される。
【００３２】
次に、上記第１の実施の形態の回転ブラシの組み立て方法を説明する。
【００３３】
まず、ねじり押し出し成形したブラシ台３５の各係合凹部３４に、ブラシ部材４１およびブレード４２を嵌合させて取り付ける。
【００３４】
次いで、ブラシ台３５の両端部に、一対の受体４３をそれぞれ取り付ける。
【００３５】
このとき、各受体４３の嵌合部４４側をブラシ台３５の両端部に対向させ、シャフト５２における嵌合部４４側の端部をブラシ台３５のシャフト挿入穴３８に圧入する。
【００３６】
そして、ブラシ台３５の外周面を嵌合部４４の内周面に当接させつつ各受体４３をブラシ台３５の軸方向の中心側へと、ブラシ台３５の両端部が嵌合部４４の底部に当接するまで圧入して回転ブラシ３３とする。
【００３７】
さらに、この回転ブラシ３３の筒部５５のそれぞれをケース体２１の軸支凹部６１のそれぞれに嵌合させて、このケース体２１の吸込口２５内に回転ブラシ３３を回転自在に軸支させる。
【００３８】
次に、上記第１の実施の形態の掃除動作について説明する。
【００３９】
まず、掃除をする際には、掃除機本体１にホース体１１および延長管１５を介して床ブラシ１６を接続する。そして、このホース体１１の把持部１４を持って押動させて、床ブラシ１６を床面上で前後に走行させる。
【００４０】
このとき、掃除機本体１内の電動送風機２の駆動により発生する吸込力によって、床ブラシ１６の吸込口２５から空気とともに床面上の塵埃が吸い込まれる。
【００４１】
さらに、ホース体１１の手許操作部１２に設けた所定の設定ボタン１３をオンして、床ブラシ１６の回転ブラシ３３を回転させた場合には、この回転ブラシ３３のブラシ部材４１の回転により、このブラシ部材４１にて床面がブラッシングされる。すなわち。この床面が板の間などである場合には、この床面にこびりついた塵埃が床面から掃き取られて取り除かれ、床ブラシ１６の吸込口２５へと吸い込まれる。
【００４２】
同時に、この回転ブラシ３３のブレード４２の回転により、床面上の塵埃が掃き取られる。すなわち、この床面が絨毯などである場合には、ブレード４２によって、絨毯の中に入り込んだ塵埃が外部へと掻き出されて取り除かれ、床ブラシ１６の吸込口２５へと吸い込まれる。
【００４３】
この後、この床ブラシ１６の吸込口２５から塵埃とともに吸い込まれた空気は、この床ブラシ１６の吸込口２５から延長管１５およびホース体１１を順次介して掃除機本体１の本体吸込口７へと吸い込まれた後、この掃除機本体１内に収容された集塵パックへと吸い込まれて空気とともに吸い込んだ塵埃が捕捉される。
【００４４】
上記第１の実施の形態では、ブラシ台３５の両端部にブラシ台３５の中心軸に沿って設けたシャフト挿入穴３８に、ブラシ台３５の両端部を保持する受体４３の中心軸に沿って突出させたシャフト５２を圧入する。このため、ブラシ台３５をねじり押し出し成形するかどうか、あるいはブラシ台３５のねじり角度の大小に関わらず、シャフト挿入穴３８が常にブラシ台３５の中心軸に沿った直線状であるので、ブラシ台３５の中心軸と受体４３の中心軸とを容易に一致させることができる。この結果、回転ブラシ３３全体の中心軸を容易に取ることができ、回転の際にぶれを生じず騒音を抑制できる。
【００４５】
また、シャフト５２をシャフト挿入穴３８に圧入し、かつブラシ台３５の外周面を受体４３の嵌合部４４の内周面で保持することにより、受体４３をモータ６４を介して回転させた際にブラシ台３５が受体４３に対して空転することを抑制できる。
【００４６】
さらに、受体４３をブラシ台３５に取り付ける際に、ブラシ台３５のねじり角度を考慮する必要がないので、ブラシ台３５を従来よりも大きくねじることができる。このため、ブラシ部材４１およびブレード４２が床面に接触する際に、掃除機本体１の走行方向に、より近い角度で接触するため、ブラシ部材４１およびブレード４２が床面に衝突しにくくなり、騒音をより抑制できる。
【００４７】
次に、本発明の第２の実施の形態を図７および図８を参照して説明する。
【００４８】
この図７および図８に示す実施の形態は、図１ないし図６に示す実施の形態と基本的に同様の構成を有しているが、ブラシ台３５の軸方向の両端部には、複数、例えば２つの凹部としての嵌合凹部７１が切り欠き形成されている。これら嵌合凹部７１は、図８に示すように、例えばブラシ台３５の中心軸について互いに対称な位置にある一対の係合凹部３４からシャフト挿入穴３８の側部に亘って、ブラシ台３５の径方向に沿って直線状に形成されている。また、これら嵌合凹部７１は、ブラシ台３５の中心軸について互いに線対称な位置に形成されている。
【００４９】
また、各受体４３における嵌合部４４内の挿通孔５１の開口縁部には、図７および図８に示すように、複数、例えば２つの凸部としての回り止めリブ７２が、受体４３の軸方向に沿って突出して受体４３と一体に設けられている。これら回り止めリブ７２は、各受体４３の径方向に沿って形成されており、受体４３の中心軸について互いに対称なシャフト５２の両側部から、嵌合部４４の内周面近傍に亘って矩形状に形成されている。したがって、これら回り止めリブ７２は、これら回り止めリブ７２の外郭、すなわち回り止めリブ７２の平面視での周囲と、受体４３の中心軸との平面視での距離が異なる部分を有する形状である。そして、これら回り止めリブ７２は、各受体４３をブラシ台３５に取り付けた際に、各嵌合凹部７１と対応する位置に設けられている。
【００５０】
さらに、これら回り止めリブ７２は、各嵌合凹部７１の幅寸法と略等しい厚さ寸法を有している。また、これら回り止めリブ７２は、嵌合部４４の突出寸法よりも小さく、かつ各嵌合凹部７１の深さ寸法と略等しい突出寸法を有している。
【００５１】
そして、これら回り止めリブ７２は、回転ブラシ３３の組み立て時に受体４３をブラシ台３５の両端部に取り付ける際に、嵌合凹部７１に嵌合する。したがって、回り止めリブ７２の外郭は、これら回り止めリブ７２と嵌合凹部７１との接触部となる。
【００５２】
上述したように、上記第２の実施の形態によれば、ブラシ台３５の両端部をそれぞれ保持する受体４３の中心軸に沿って突出させたシャフト５２を、略円筒状のブラシ台３５の両端部にこのブラシ台３５の中心軸に沿って形成されたシャフト挿入穴３８に圧入するなど、上記第１の実施の形態と同様の構成を有することにより、上記第１の実施の形態と同様の作用効果を奏することができる。
【００５３】
また、外郭と受体４３の中心軸との平面視での距離が異なる部分を有する形状の回り止めリブ７２を嵌合部４４内に設け、これら回り止めリブ７２をブラシ台３５の嵌合凹部７１に嵌合させることにより、受体４３の回転時に嵌合凹部７１と回り止めリブ７２との接触部で互いに作用する外力が、回り止めリブ７２の外郭における受体４３の中心軸からの位置によって異なるから、ブラシ台３５を受体４３に対して空転しにくくできる。
【００５４】
なお、上記第１および第２の実施の形態において、シャフト５２は、金属以外にも、例えば樹脂などで形成することも可能である。
【００５５】
次に、本発明の第３の実施の形態を図９および図１０を参照して説明する。
【００５６】
この図９および図１０に示す実施の形態は、図１ないし図６に示す実施の形態と基本的に同様の構成を有しているが、ブラシ台３５の軸方向の両端部には、凹部としての嵌合凹部７５が形成されている。この嵌合凹部７５は、図１０に示すように、例えばブラシ台３５の中心軸について互いに対称な位置にある一対の係合凹部３４の間に亘って、ブラシ台３５の径方向に沿ってブラシ台３５の中心軸を通るように略矩形状に形成されている。
【００５７】
また、各受体４３は、図９および図１０に示すように、シャフト５２が各受体４３の軸方向の略中心域から突出部４６側にのみ突出している。さらに、シャフト５２における突出部４６と反対側、すなわち嵌合部４４側には、凸部としての嵌合リブ７６がこの嵌合部４４内に突出して受体４３と一体に設けられている。この嵌合リブ７６は、各受体４３をブラシ台３５の両端部に取り付けた際に嵌合凹部７５と対応する位置に設けられている。またさらに、この嵌合リブ７６は、受体４３の径方向に沿ってこの受体４３の中心軸を通るように略矩形状に形成されている。したがって、この嵌合リブ７６は、外郭と受体４３の中心軸との平面視での距離が異なる部分を有する形状である。
【００５８】
さらに、この嵌合リブ７６は、嵌合凹部７５の幅寸法と略等しい厚さ寸法を有している。また、この嵌合リブ７６は、嵌合部４４の突出寸法よりも小さく、かつ嵌合凹部７５の深さ寸法と略等しい突出寸法を有している。
【００５９】
そして、上記図９および図１０に示す実施の形態において、回転ブラシ３３の組み立て時には、係合凹部３４にブラシ部材４１およびブレード４２を取り付けたブラシ台３５の両端部に受体４３を取り付ける際に、嵌合リブ７６を嵌合凹部７５に嵌合させる。
【００６０】
上述したように、上記第３の実施の形態によれば、ブラシ台３５の両端部をそれぞれ保持する受体４３の中心軸を通るように形成して受体４３の軸方向に沿って突出させた嵌合リブ７６を、略円筒状のブラシ台３５の両端部にこのブラシ台３５の中心軸を通るように形成した嵌合凹部７５に嵌合させ、受体４３をブラシ台３５の両端部に取り付けることにより、ブラシ台３５の嵌合凹部７５に受体４３の嵌合リブ７６を確実に嵌合できるため、ブラシ台３５と受体４３との中心軸がずれることがなく、回転ブラシ３３の回転の際にぶれなどを生じず騒音を抑制できる。
【００６１】
また、受体４３の中心軸からの平面視での距離が異なる部分を有する形状の嵌合リブ７６を嵌合部４４内に設け、この嵌合リブ７６をブラシ台３５の嵌合凹部７５に嵌合させることにより、受体４３の回転時に嵌合凹部７５と嵌合リブ７６との接触部で互いに作用する外力が嵌合リブ７６の外郭における受体４３の中心軸からの位置によって異なるから、ブラシ台３５を受体４３に対して空転しにくくできる。
【００６２】
さらに、シャフト５２が受体４３を貫通していないから、受体４３をより容易に射出成形でき、製造性をより向上できる。
【００６３】
なお、上記第３の実施の形態において、嵌合リブ７６の形状は、受体４３の中心軸からの平面視での距離が異なる部分を有する形状であれば、例えば図１１に示すような十字形状、あるいは図１２に示すように受体４３の周方向に沿って略等間隔に離間された４つの矩形領域を有する形状など、他の様々な形状が可能である。この場合には、嵌合凹部７５を嵌合リブ７６の形状に合わせて形成する。同様に、上記第２の実施の形態における回り止めリブ７２および嵌合凹部７１も、嵌合リブ７６および嵌合凹部７５のように様々な形状に形成することが可能である。
【００６４】
また、上記各実施の形態において、キャニスタ型の電気掃除機に限らず、床ブラシ１６が掃除機本体１の下面に直接形成されたアップライト型、その他、掃除機本体１と床ブラシ１６とが一体化された自走式の電気掃除機あるいはハンディ型などであっても対応させて用いることができる。
【００６５】
さらに、上記各実施の形態では、ブラシ台３５の両端に取り付ける一対の受体４３にシャフト５２、回り止めリブ７２および嵌合リブ７６を設けた構成について説明したが、ブラシ台３５の一端に取り付ける受体４３にのみこれらシャフト５２、回り止めリブ７２および嵌合リブ７６を設けた構成も可能である。この場合には、ブラシ台３５のシャフト挿入穴３８および嵌合凹部７５をブラシ台３５の一端部から他端部に亘って設け、シャフト５２、回り止めリブ７２および嵌合リブ７６を、ブラシ台３５の一端に取り付ける受体４３からブラシ台３５の軸方向の寸法と略等しくなるように突出させて、シャフト挿入孔３８、嵌合凹部７１，７５に圧入および嵌合させるようにする。
【００６６】
そして、床ブラシ１６に回転ブラシ３３を複数配設してもよい。また、この回転ブラシ３３をモータ６４にて回転駆動させたが、電動送風機２による吸気風にて回転駆動させる構成とすることもできる。
【００６７】
【発明の効果】
本発明によれば、取付部材を例えばねじり押し出し成形しても保持部材の中心軸と取付部材の中心軸とを容易に一致させることができるので、回転の際にぶれなどを生じず騒音を抑制できる。
【００６８】
また、本発明によれば、取付部材の凹部に保持部材の凸部を確実に嵌合できるため、取付部材と保持部材との中心軸がずれることがなく、回転の際にぶれなどを生じず騒音を抑制できる。
【図面の簡単な説明】
【図１】本発明の第１の実施の形態における吸込口体を示す縦断面図である。
【図２】同上吸込口体の一部を拡大して示す平面図である。
【図３】同上吸込口体を示す平面図である。
【図４】同上吸込口体の保持部材を示す縦断面図である。
【図５】同上保持部材および取付部材を示す斜視図である。
【図６】同上電気掃除機を示す斜視図である。
【図７】本発明の第２の実施の形態における保持部材を示す縦断面図である。
【図８】同上保持部材および取付部材を示す斜視図である。
【図９】本発明の第３の実施の形態における保持部材を示す縦断面図である。
【図１０】同上保持部材および取付部材を示す斜視図である。
【図１１】本発明の保持部材の凸部の他の実施例を示す平面図である。
【図１２】本発明の保持部材の凸部のさらに他の実施例を示す平面図である。
【符号の説明】
１    掃除機本体
２    電動送風機
１６    吸込口体としての床ブラシ
２１    ケース体
２５    吸込口
３３    回転清掃体としての回転ブラシ
３５    取付部材としてのブラシ台
３８    挿入穴としてのシャフト挿入穴
４１    清掃部材としてのブラシ部材
４２    清掃部材としてのブレード
４３    保持部材としての受体
５２    軸部としてのシャフト
７１    凹部としての嵌合凹部
７２    凸部としての回り止めリブ
７５    凹部としての嵌合凹部
７６    凸部としての嵌合リブ
【図１】
2004187883.tif 000003
【図２】
2004187883.tif 000004
【図３】
2004187883.tif 000005
【図４】
2004187883.tif 000006
【図５】
2004187883.tif 000007
【図６】
2004187883.tif 000008
【図７】
2004187883.tif 000009
【図８】
2004187883.tif 000010
【図９】
2004187883.tif 000011
【図１０】
2004187883.tif 000012
【図１１】
2004187883.tif 000013
【図１２】
2004187883.tif 000014